(57)【要約】【課題】            通気膜によってインクタンク内外への気体の流通が可能な上、インクの種類に拘らず、そのインクが通気膜を介して外部へ洩れてしまうのを阻むことができる筆記具を提供する。【解決手段】        インクタンク１０内のインクＭを筆記具４から吐出させるようにした筆記具であって、インクタンク１０の内外へ気体を透過させる通気膜２２を備えた筆記具において、この通気膜２２は、気体を透過可能であって且つインクの透過を阻む半透膜に、撥水撥油処理を施してなる。【選択図】          図１
2006168163.tif 000002
【特許請求の範囲】
【請求項１】
インクタンク内のインクを筆記部から吐出させるようにした筆記具であって、インクタンクの内外へ気体を透過させる通気膜を備えた筆記具において、
この通気膜は、気体を透過可能であって且つインクの透過を阻む半透膜に、撥水撥油処理を施してなることを特徴とする筆記具。
【請求項２】
上記通気膜の外側に、上記通気膜の変形を阻むように補強通気膜を重ね合わせたことを特徴とする請求項１記載の筆記具。
【請求項３】
上記通気膜の外側に、上記インクタンク内の圧力が所定値以上に上昇した際に内部気体を排出する弁手段を備えたことを特徴とする請求項１又は２記載の筆記具。
【請求項４】
上記通気膜の外側の空間を、可撓性膜体によって密封したことを特徴とする請求項１乃至３何れか１項記載の筆記具。
【請求項５】
上記通気膜を二つ備え、その一方を第一通気膜とするとともに他方を第二通気膜とし、上記インクタンク内に、貯溜されたインクの深さよりも長い通気用管体を軸方向へわたって設け、
前記第一通気膜は、上記インクタンクの後端側の外壁として配設され、
前記第二通気膜は、上記インクタンク内で前記通気用管体の前端側の開口部を塞ぐようにして配設され、
前記通気用管体は、その後端を、上記インクタンクの後端側の外壁に接続するとともに、該後端の開口部を外部へ向けていることを特徴とする請求項１乃至４何れか１項記載の筆記具。
【請求項６】
上記インクタンク内に、底部を前方へ向けた略有底筒状の通気用管体であって、貯溜されたインクの深さよりも長い通気用管体を、軸方向へわたって設け、
この通気用管体は、その前端側の底部に、気体の通過を可能にし且つインクの通過を阻む程度の開口面積に設定された貫通部を備え、そして、この通気用管体は、その後端を上記インクタンク後端側の外壁に接続するとともに、該後端の開口部を外部へ向けるようにして設けられ、
上記通気膜は、上記インクタンクの後端側の外壁として配設されるとともに、前記通気用管体の後端の開口部を覆っていることを特徴とする請求項１乃至４何れか１項記載の筆記具。
【請求項７】
上記通気膜を二つ備え、その一方を第一通気膜とするとともに他方を第二通気膜とし、
前記第一通気膜を上記インクタンクの後端側の外壁として配設するとともに、前記第二通気膜を同インクタンクの前端側の外壁として配設したことを特徴とする請求項１乃至４何れか１項記載の筆記具。
【請求項８】
上記インクタンクを有底筒状の外筒の内部に固定するとともに、上記筆記部を該外筒の外部へ露出するようにした筆記具であって、
前記外筒と上記インクタンクとの間に、上記インクタンクの後端側の上記第一通気膜と前記外筒の前端開口部とを連通する通気路を確保し、前記外筒の前端開口部、上記第二通気膜、及び上記筆記部を、着脱可能なキャップによって密封したことを特徴とする請求項７記載の筆記具。
【請求項９】
上記筆記部は、上記インクタンク内のインクを前端側へ導くように多数の繊維部材からなり、これら多数の繊維部材は、インクタンク内側が筆記先端側よりも高密度に構成されていることを特徴とする請求項１乃至８何れか１項記載の筆記具。
【請求項１０】
上記筆記部は、上記インクタンク内の後端部または後端部近傍まで延設されていることを特徴とする請求項１乃至９何れか１項記載の筆記具。
【発明の詳細な説明】
【技術分野】
【０００１】
本発明は、修正用塗布具を含む筆記具であって、インクタンク内のインクを筆記部から外部へ吐出するようにした筆記具に関し、特にインクタンク内外へ気体を透過させる構造を備えた筆記具に関するものである。
【背景技術】
【０００２】
従来、この種の発明には、特許文献１に記載されたもののように、本体軸（６）の内部に貯蔵された内溶液をペン先の塗布体（１０）から流出させて被塗布体に塗布するようにした塗布具であって、透湿・防水素材からなる膜体を備えた減圧補償弁（２８）を有する塗布具が知られている。
この従来技術によれば、内溶液が塗布体（１０）から吐出されると、本体軸（６）側の内容液の減少に伴なって、外部の気体が前記膜体を介して本体軸（６）内へ供給される。前記膜体は、透湿・防水素材からなるため、本体軸（６）側の内溶液が外部へ透過されてしまうのを阻む。
【０００３】
しかしながら、上記内容液として水性インクを用いた場合、通常の液式筆記具の水性インクには界面活性剤が含有されているため、その水性インクは、界面活性剤の表面張力低下作用や界面吸着作用等によって、上記膜体に染込み、更には上記膜体を通過してしまう。
また、上記内溶液として油性インクを用いた場合には、通常の液式筆記具の油性インクではアルコールを含んでおり表面張力が比較的低いため、その油性インクは、前記水性インクの場合と同様に、前記膜体に染込み、更には前記膜体を通過してしまうことになる。
なお、油性インクに対し、界面活性剤が添加されている場合もあるが、この場合には、なおさら表面張力が低くなるため、その油性インクは、いっそう前記膜体を通過し易い。
【特許文献１】特開平８−３００８９１号公報
【発明の開示】
【発明が解決しようとする課題】
【０００４】
本発明は上記従来事情に鑑みてなされたものであり、その課題とする処は、通気膜によってインクタンク内外への気体の流通が可能な上、インクの種類に拘らず、そのインクが通気膜を介して外部へ洩れてしまうのを阻むことができる筆記具を提供することにある。
【課題を解決するための手段】
【０００５】
上記課題を解決するために第一の発明は、インクタンク内のインクを筆記部から吐出させるようにした筆記具であって、インクタンクの内外へ気体を透過させる通気膜を備えた筆記具において、この通気膜は、気体を透過可能であって且つインクの透過を阻む半透膜に、撥水撥油処理を施してなることを特徴とする。
【０００６】
また、第二の発明では、上記通気膜の外側に、上記通気膜の変形を阻むように補強通気膜を重ね合わせたことを特徴とする。
【０００７】
また、第三の発明では、上記通気膜の外側に、上記インクタンク内の圧力が所定値以上に上昇した際に内部気体を排出する弁手段を備えたことを特徴とする。
【０００８】
また、第四の発明では、上記通気膜の外側の空間を、可撓性膜体によって密封したことを特徴とする。
【０００９】
また、第五の発明では、上記通気膜を二つ備え、その一方を第一通気膜とするとともに他方を第二通気膜とし、上記インクタンク内に、貯溜されたインクの深さよりも長い通気用管体を軸方向へわたって設け、前記第一通気膜は、上記インクタンクの後端側の外壁として配設され、前記第二通気膜は、上記インクタンク内で前記通気用管体の前端側の開口部を塞ぐようにして配設され、前記通気用管体は、その後端を、上記インクタンクの後端側の外壁に接続するとともに、該後端の開口部を外部へ向けていることを特徴とする。
【００１０】
また、第六の発明では、上記インクタンク内に、底部を前方へ向けた略有底筒状の通気用管体であって、貯溜されたインクの深さよりも長い通気用管体を、軸方向へわたって設け、この通気用管体は、その前端側の底部に、気体の通過を可能にし且つインクの通過を阻む程度の開口面積に設定された貫通部を備え、そして、この通気用管体は、その後端を上記インクタンク後端側の外壁に接続するとともに、該後端の開口部を外部へ向けるようにして設けられ、上記通気膜は、上記インクタンクの後端側の外壁として配設されるとともに、前記通気用管体の後端の開口部を覆っていることを特徴とする。
【００１１】
また、第七の発明では、上記通気膜を二つ備え、その一方を第一通気膜とするとともに他方を第二通気膜とし、前記第一通気膜を上記インクタンクの後端側の外壁として配設するとともに、前記第二通気膜を同インクタンクの前端側の外壁として配設したことを特徴とする。
【００１２】
また、第八の発明では、上記インクタンクを有底筒状の外筒の内部に固定するとともに、上記筆記部を該外筒の外部へ露出するようにした筆記具であって、前記外筒と上記インクタンクとの間に、上記インクタンクの後端側の上記第一通気膜と前記外筒の前端開口部とを連通する通気路を確保し、前記外筒の前端開口部、上記第二通気膜、及び上記筆記部を、着脱可能なキャップによって密封したことを特徴とする。
【００１３】
また、第九の発明では、上記筆記部は、上記インクタンク内のインクを前端側へ導くように多数の繊維部材からなり、これら多数の繊維部材は、インクタンク内側が筆記先端側よりも高密度に構成されていることを特徴とする。
【００１４】
また、第十の発明では、上記筆記部は、上記インクタンク内の後端部または後端部近傍まで延設されていることを特徴とする。
【００１５】
なお、上記インクには、筆記具用水性インクや、筆記具用油性インク、修正用塗布具の内容液である修正液等を含む。
【００１６】
また、上記撥水撥油処理は、半透膜の一方又は双方の面に設ければよく、好ましくはインク側の面に設けられる。
上記半透膜の具体例としては、フッ素樹脂多孔膜や、ポリオレフィン多孔膜等が挙げられる。フッ素樹脂としては、ＰＴＦＥや、ポリクロロトリフルオロエチレン、テトラフルオロエチレン−ヘキサフルオロプロピレン共重合体、テトラフルオロエチレン−パーフルオロアルキルビニルエーテル共重合体、テトラフルオロエチレン−エチレン共重合体などが挙げられる。ポリオレフィンとしては、ポリエチレン、ポリプロピレン、ポリ４−メチル−１−ペンテン、ポリ−１−ブテンなどが挙げられる。
【００１７】
なお、上記第二乃至十の発明として記載した構成は、上記通気膜を撥水撥油処理が施された半透膜により構成することで特に効果的に作用効果を発揮するものであるが、仮に上記通気膜を撥水撥油処理が施されていない半透膜により構成した場合であっても、各発明に対応して後述する作用効果を奏する。
【発明の効果】
【００１８】
本発明は、以上説明したように構成されているので、以下に記載されるような作用効果を奏する。
第一の発明によれば、温度上昇等の影響によりインクタンク内の気体の圧力が上昇した場合、そのインクタンク内を気体を通気膜に通過させて外部へ排出して、インクタンク内の圧力上昇を抑制することができる。したがって、内圧上昇によるインクの過剰吐出等を防止することができる。
また、通気膜を介して外部からインクタンク内へ気体を吸入し、筆記部からのインク吐出量を増加させる構成とすることも可能である。
その上、インクタンク内のインクが界面活性剤を含んだ水性インクや油性インク、アルコールベースの油性インク等、表面張力が比較的低い通常の筆記具用インクである場合であっても、そのインクを、通気膜の撥水撥油処理面によってはじき、通気膜に通過させない。
よって、通気膜によってインクタンク内外への気体の流通が可能な上、インクの種類に拘らず、そのインクが通気膜を介して外部へ洩れてしまうのを阻むことができる。
【００１９】
更に、第二の発明によれば、インクタンク内外の圧力差等によって通気膜が変形したり破損したりしてしまうのを、補強通気膜により阻むことができる。ひいては、当該筆記具の製造段階での通気膜の取扱いが良好であり、生産性を向上することができる。
【００２０】
更に、第三の発明によれば、温度上昇等によりインクタンク内の圧力が所定値以上に上昇した場合に、インクタンク内の気体を外部へ排出して、内圧上昇を抑制することができる上、インクタンク内のインクの揮発等によりインクタンク内の圧力が所定値以内の範囲で若干上昇した際には、その揮発したインク（気体）が外部へ流出されてしまうのを防ぐことができ、ひいては、インクタンク内のインクの揮発を防止することができる。
【００２１】
更に、第四の発明によれば、通気膜の外側の空間が可撓性膜体によって密封されているため、インクタンク内で揮発したインク（気体）が通気膜を介して外部へ流出されてしまうのを防ぐことができる。しかも、温度上昇等の影響に起因して、インクタンク内の圧力が上昇した場合には、その内圧の上昇を可撓性膜体の変形によって吸収し抑制することができる。
【００２２】
更に、第五の発明によれば、筆記部下向きの通常の筆記状態においては、温度上昇等の影響によりインクタンク内の圧力が上昇した場合であっても、インクタンク内でインクよりも後方側にある気体を、第一通気膜を介して外部へ排出して、インクタンク内の圧力上昇を抑制することができる。
また、上向き筆記状態においては、インクタンク内で筆記部側へ移動した気体層に、第二通気膜が触れるため、その第二通気膜によって内圧上昇した際の気体を外部へ排出して、インクタンク内の圧力上昇を抑制することができる。
しかも、第一通気膜を介して気体を吸入排出するための開口部と、第二通気膜を介して気体を吸入排出するための開口部との双方を、インクタンクの後端側に配置することができ、ひいては、インクタンク前端側の構造を簡素化し、生産性を向上することができる。
【００２３】
更に、第六の発明によれば、筆記部下向きの通常の筆記状態においては、温度上昇等の影響によりインクタンク内の内圧が上昇した場合であっても、インクタンク内でインクよりも後方側にある気体を、通気膜を介して外部へ排出して、インクタンク内の圧力上昇を抑制することができる。
また、上向き筆記状態においては、インクタンク内で筆記部側へ移動した気体層に、通気用管体底部の貫通部が触れるため、その貫通部によって内圧上昇した際の気体を外部へ排出して、インクタンク内の圧力上昇を抑制することができる。
なお、仮に落下等の衝撃により貫通部内を介して通気用管体内へインクが若干浸入したとしても、そのインクが外部へ流出してしまうのを、通気用管体の後端の開口部を覆っている通気膜により防ぐことができる。
しかも、通気膜を介して気体を吸入排出するための開口部と、貫通部を介して気体を吸入排出するための開口部との双方を、インクタンクの後端側に配置することができ、ひいては、インクタンク前端側の構造を簡素化し、生産性を向上することができる。
【００２４】
また、第七の発明によれば、筆記部下向きの通常の筆記状態においては、温度上昇等の影響によりインクタンク内の内圧が上昇した場合であっても、インクタンク内でインクよりも後方側にある気体を、インクタンク後端側の第一通気膜を介して外部へ排出して、インクタンク内の圧力上昇を抑制することができる。
また、上向き筆記状態においては、インクタンク内で筆記部側へ移動した気体層に、インクタンク前端側の第二通気膜が触れるため、その第二通気膜によって内圧上昇した際の気体を外部へ排出して、インクタンク内の圧力上昇を抑制することができる。
【００２５】
更に、第八の発明によれば、有底筒状の外筒によって、インクタンク後端側の第一通気膜を保護することができる上、当該筆記具の不使用時には、前記外筒の前端開口部、上記第二通気膜、及び上記筆記部を、着脱可能なキャップによって密封し、インクタンク内のインクが揮発してしまうのを防ぐことができる。
【００２６】
更に、第九の発明によれば、筆記部におけるインクタンク内側は、比較的高密度な繊維部材により構成されるため、インクの流通を抑制する作用が強い。それに対し、筆記部における筆記先端側は、比較的低密度な繊維部材により構成されるため、インクの流通を促進させる作用が強い。
したがって、温度上昇等によりインクタンク内の圧力が上昇したり、通気膜を介してインクタンク内へ気体が流入したり等することに起因して、筆記部の後端に過剰にインクが供給されたとしても、そのインクを、インクタンク内側の高密度な繊維部材により抑制して流通しながら、徐々に、筆記先端側の低密度な繊維部材へ導くことができる。ひいては、筆記部先端から過剰なインクが流出するボタ落ち現象を防ぐとともに、筆記部先端からのインク吐出量を好適に維持し、当該筆記具の書き味を向上することができる。
【００２７】
更に、第十の発明によれば、インクタンク内のインクが消費され、比較的少なくなった状態で、上向き筆記が行われた場合でも、インクタンク内の後端側に溜まったインクを、筆記部の後端部によって吸収し、毛細管力によって同筆記部の筆記先端側へ徐々に導くことができる。ひいては、インク量が比較的少なくなった際の上向き筆記状態においても、インク吐出量が適量であり、書き味が良好である。
【発明を実施するための最良の形態】
【００２８】
以下、本発明の実施の形態を図面に基づいて説明する。
この筆記具１は、内部にインクＭを貯溜するようにしたインクタンク１０と、該インクタンク１０の後端側に装着されて気体を透過可能な通気尾栓２０と、インクタンク１０の前端に装着された先口３０及び筆記部４０とを備え、インクタンク１０内のインクＭを筆記部４０から吐出させるように構成されている。
【００２９】
インクタンク１０は、筆記時に把持される軸筒を兼用するように当該筆記具１の略全長を構成する略円筒状に形成され、その後端側内周面に後述する通気尾栓２０を固定し、段状に縮径された前端部内周面には筆記部４０を嵌合し、更に、前端部外面には、筆記部４０を貫通させるようにして、先口３０を固定している。
【００３０】
通気尾栓２０は、インクタンク１０内周面の後端側に、嵌合や螺合等によって固定される本体部２１と、該本体部２１の後端面に重ね合わせられた一体状の第一通気膜２２及び第一補強通気膜２３と、これら第一通気膜２２及び第一補強通気膜２３の後端面に重ね合わせられた弁手段２４と、本体部２１における後述する通気用管体２１ｂの前端に固定された一体状の第二通気膜２５及び第二補強通気膜２６とからなる。
【００３１】
本体部２１は、硬質合成樹脂材料から一体成形され、インクタンク１０の後端側の内周面に固定されて支持された略円板状の被支持部２１ａと、該被支持部２１ａの略中心側に配置された通気用管体２１ｂとからなる。
【００３２】
被支持部２１ａは、図２に示すように、通気用管体２１ｂ後端の開口部２１ｂ１の周囲に、複数の貫通孔２１ａ１を備えている。
【００３３】
また、通気用管体２１ｂは、その一端側の周壁を前記被支持部２１ａに接続するとともに、その他端側をインクタンク１０内で軸方向における前方へ延設している。そして、この通気用管体２１ｂは、インクＭの深さＨよりも長く形成され、その最前端の開口部２１ｂ２を後述する第二通気膜２５及び第二補強通気膜２６により塞いでいる。
【００３４】
第一通気膜２２及び第二通気膜２５は、多孔質の半透膜に、撥水撥油処理を施してなる。
前記半透膜として特に好ましくは、ＰＴＦＥ（ポリテトラフルオロエチレン）の多孔質フィルムが用いられ、この多孔質フィルムは、インクタンク１０内外の気体が透過可能であって且つインクＭの透過を阻むように、その気孔率や孔径等が調整されたものである。
【００３５】
また、前記撥水撥油処理は、前記半透膜における少なくともインクと接触する側の面に、撥水撥油処理剤を、含浸、塗布、スプレー等の手段によってコーティングするようにした処理であり、前記撥水初処理剤としては、具体的には各種の含フッ素ポリマーを用いることができ、例えば、パーフルオロアルキル基を有する高分子が用いられる。
そして、前記撥水撥油処理は、インクＭに対する撥水撥油性を十分に得ることができ、且つ、上記半透膜による通気性を損なわない程度に、前記撥水撥油処理剤の塗布量が適宜に調整されている。
【００３６】
また、第一補強通気膜２３及び第二補強通気膜２６は所謂不織布であり、第一補強通気膜２３は、前記第一通気膜２２の後端面に接着され、また、第二補強通気膜２６は、前記第二通気膜２５の後端面に接着されている。
そして、一体状の第一通気膜２２及び第一補強通気膜２３は、本体部２１における被支持部２１ａの外径にならって略円形状に形成され、被支持部２１ａ後端面の複数の貫通孔２１ａ１及び通気用管体２１ｂの開口部２１ｂ１を閉鎖するようにして接着されている。
なお、第一通気膜２２及び第一補強通気膜２３は、複数の貫通孔２１ａ１のみを閉鎖するように、平面視略環状に形成されていてもよい。
【００３７】
また、一体状の第二通気膜２５及び第二補強通気膜２６は、本体部２１における通気用管体２１ｂの外径にならって略円形状に形成され、通気用管体２１ｂ前端の開口部２１ｂ２を閉鎖するようにして接着されている。
【００３８】
なお、前記第一補強通気膜２３及び第二補強通気膜２６は、第一通気膜２２及び第二通気膜２５の変形を阻み、且つ第一通気膜２２及び第二通気膜２５の通気性を損ねることのない構成であれば、上記態様に限定されるものでなく、例えば、硬質合成樹脂からなるフィルムに多数の通気孔を設けてなる態様とすることも可能である。
【００３９】
また、弁手段２４は、略円形状に形成され、その厚さ方向へ貫通する切れ目２４ａを設けてなり、その全外周面をインクタンク１０の後端側内周面に密接させた状態で、溶着や嵌合等の固定手段により固定されている。
この弁手段２４の材質は、通常状態においては前記切れ目２４ａを通気不能に閉じ、インクタンク１０内の圧力が所定値以上となった際には、外方へ変形して切れ目２４ａを通気可能な状態にするものであればよく、本実施の形態の好ましい一例によれば、ゴム等の弾性板状体とされる。
【００４０】
そして、前記弁手段２４は、温度上昇等に起因してインクタンク１０内の圧力上昇が比較的大きい場合には、外方へ変形することでインクタンク１０内の気体を外部へ排出し、また、インクＭの揮発等に起因してインクタンク１０内の圧力上昇が比較的小さい場合には、殆ど変形しないでインクタンク１０内の気体の外部への流出を阻止するように、その材質及び厚さ寸法等が調整されている。
【００４１】
なお、前記切れ目２４ａは、通常時に通気不能に閉じ、変形時には通気可能な隙間を形成する構成であればよく、図示例の好ましい一例によれば十字状に形成されているが、単一線状や、放射状、微細孔状等の形状にすることも可能である。
また、この弁手段２４は、弁座に対し弁体を開閉動作させる機構や、他の弁機構に置換することも可能である。
【００４２】
また、先口３０は、略先細状に形成され、その軸心側に後述する筆記部４０を貫挿させて、螺合や嵌合等によりインクタンク１０の前端に固定されている。
そして、この先口３０の周壁には、必要に応じて、インクＭが筆記部４０に過剰に供給された際等に、そのインクＭを貯溜するためのインク貯溜溝（図示せず）が形成される。
【００４３】
また、筆記部４０は、インクタンク１０内側に配置されたインク吸収部４１と、該インク吸収部４１の前端に接続されたインク吐出部４２とから一体的に構成されている。
これらインク吸収部４１とインク吐出部４２の各々は、インクタンク１０内のインクを前端側へ導くように、多数の繊維部材を束ねて構成される。そして、インク吸収部４１の多数の繊維部材は、インク吐出部４２の多数の繊維部材よりも高密度に構成されている。
したがって、前記構成の筆記部４０によれば、インクタンク１０内の圧力が上昇した場合等に、筆記部４０に対し過剰にインクＭが供給された場合であっても、そのインクＭを、高密度なインク吸収部４１によって抑制して流通させながら、徐々に、低密度なインク吐出部４２へ導くことができる。
また、前記筆記部４０は、インク吐出部４２先端からのインクＭの消費により、インクタンク１０内が減圧した際には、インク吐出部４２の前端側から外部の空気を吸収し、その空気をインク吸収部４１を介してインクタンク１０内へ導くように作用する。
【００４４】
そして、上記構成の筆記具１におけるインクタンク１０内には、所定量のインクＭが充填され、該インクＭよりも上側の空間には、空気あるいは不活性ガス等の気体が充満されている。
【００４５】
インクＭは、特に限定されるものでないが、第一通気膜２２及び第二通気膜２５へのインクＭの通過を効果的に阻止するためには、界面活性剤を含む水性インク、又は有機溶剤を用いた油性インクとするのが好ましい。
前記水性インクに用いられる前記界面活性剤としては、例えば、アニオン活性剤（カルボン酸型、硫酸エステル型、スルホン型、燐酸エステル型）、ノニオン活性剤（エーテル型、エステル型、アミノエーテル型、アルキルアミド型）及びその他フッ素系活性剤、シリコーン系活性剤、反応性活性剤が使用される。
また、前記油性インク用の前記有機溶剤としては、例えば、エチルアルコール、イソプロピルアルコール、ｎ−プロピルアルコール、ベンジルアルコール等のアルコール類、メチルエチルケトン、メチルイソブチルケトン等のケトン類、酢酸エチル、酢酸ｎ−プロピル、酢酸ｎ−ブチル等のエステル類、石油ベンジン、リグロイン等の石油留分、キシレン、トルエン等の芳香族炭化水素類等が使用される。
【００４６】
また、上記筆記具１の前端側には、先口３０及び筆記部４０を覆うようにしてキャップ（図示せず）が着脱可能に装着され、筆記部４０からのインクＭの乾燥などを防止している。
【００４７】
次に、上記構成の筆記具１について、その作用効果を詳細に述べる。
図１（ａ）に示すように、筆記部４０が下向きの状態においては、温度上昇等の影響によりインクタンク１０内の圧力が急上昇した場合であっても、インクタンク１０内でインクＭよりも後方側にある気体を、第一通気膜２２、第一補強通気膜２３、及び弁手段２４の切れ目２４ａを介して外部へ排出し、インクタンク１０内の圧力上昇を抑制することができる。
【００４８】
また、図１（ｂ）に示すように、筆記部４０が上向きの状態においては、インクタンク１０内で上方へ移動した気体層に、第二通気膜２５及び第二補強通気膜２６が触れるため、温度上昇等の影響によりインクタンク１０内の圧力が急上昇した場合であっても、第二通気膜２５及び第二補強通気膜２６、通気用管体２１ｂ内、第一通気膜２２及び第一補強通気膜２３、そして弁手段２４の切れ目２４ａを介して、インクタンク１０内の気体を外部へ排出し、インクタンク内の圧力上昇を抑制することができる。
【００４９】
次に、本発明の筆記具の他例について説明する。なお、以下に示す筆記具の他例において、上記筆記具１と略同様の構成については、上記筆記具１と同一の符号を用いることで、重複する詳細説明を省略する。
【００５０】
図４に示す筆記具２は、上述した筆記具１における第二通気膜２５及び第二補強通気膜２６を、通気用管体２１ｂと一体の通気部２７に置換し、弁手段２４を可撓性膜体２８に置換した構成とされる。
【００５１】
通気部２７は、通気用管体２１ｂの前端部を略有底筒状に形成することで、通気用管体２１ｂと一体成形され、その中心側に貫通部２７ａを有する。
貫通部２７ａは、気体の通過を可能にし且つインクＭの通過を阻む程度の開口面積に形成された貫通孔であればよく、図示された好ましい一例によれば、０．１〜０．２ｍｍ幅のスリット状の貫通孔とされる。
【００５２】
可撓性膜体２８は、第一通気膜２２及び第一補強通気膜２３の外側の空間Ｓを密封するようにして設けられた膜体であり、該空間Ｓの気体の圧力が上昇した際に撓むものであればよく、本実施の好ましい一例によれば、ゴム等の弾性材料からなる膜体とされる。
この可撓性膜体２８の材質及び厚さ寸法等は、温度上昇等に起因してインクタンク１０内の圧力上昇が比較的大きい場合には、外方へ変形することでインクタンク１０内の気体の圧力上昇を抑制し、また、インクＭの揮発等に起因してインクタンク１０内の圧力上昇が比較的小さい場合には、殆ど変形しないでインクタンク１０内の気体が外部へ流出するのを阻止するように、適宜に調整されている。
【００５３】
上記構成の筆記具２によれば、図４（ａ）に示すように筆記部４０が下向きの状態においては、温度上昇等の影響によりインクタンク１０内の圧力が急上昇した場合であっても、インクタンク１０内でインクＭよりも後方側にある気体を、第一通気膜２２及び第一補強通気膜２３を介して第一通気膜２２及び第一補強通気膜２３よりも後方側の空間Ｓへ排出し、その排出された気体を可撓性膜体２８の変形により該空間Ｓに貯溜するため、インクタンク１０内の圧力上昇を抑制することができる。
【００５４】
なお、筆記部４０からインクＭの消費等により、インクタンク１０内が減圧された際には、可撓性膜体２８が弾性的に復元するため、空間Ｓ内の気体は、第一通気膜２２及び第一補強通気膜２３を通過して、インクタンク１０内へ戻される。
また、上述した下向き状態においては、通気用管体２１ｂ外のインクＭが貫通部２７ａを通過して通気用管体２１ｂ内へ侵入する場合があるが、その侵入はインクＭの粘性や表面張力等の作用によって阻止されるため、若干量であり、上記作用効果への悪影響は殆どない。更に、通気用管体２１ｂ内にインクＭが侵入したとしても、そのインクＭの外部への流出は、第一通気膜２２よって阻止されることになる。
【００５５】
また、図４（ｂ）に示すように、筆記部４０を上方へ向けた状態においては、インクタンク１０内で上方へ移動した気体層に、通気部２７が触れるため、温度上昇等の影響によりインクタンク１０内の圧力が急上昇した場合であっても、通気部２７の貫通部２７ａ、通気用管体２１ｂ内、第一通気膜２２及び第一補強通気膜２３を介して、インクタンク１０内の気体が第一通気膜２２及び第一補強通気膜２３の後方側の空間Ｓへ排出され、可撓性膜体２８が上述した下向き状態の場合と略同様に作用し、インクタンク１０内の圧力上昇が抑制される。
なお、前記上向き状態においては、通気部２７は殆どインクＭに触れない状態となるが、仮に通気部２７にインクＭが付着し、その付着したインクＭが貫通部２７ａを介して通気部２７内へ侵入したとしても、その侵入したインクＭは若干量であるため、上記作用効果への悪影響は殆どない。
【００５６】
なお、上記構成の筆記具１及び筆記具２によれば、インクＭが揮発して外部へ放出されるのを防ぐ手段として、上記弁手段２４や可撓性膜体２８を具備するようにしたが、他例としては、上記第一補強通気膜２３及び第二補強通気膜２６の繊維構造等によって弁手段を備えるとともに、上記構成から弁手段２４や可撓性膜体２８を省いた態様とすることも可能である。
【００５７】
また、図６に示す筆記具３は、インクＭを貯溜するようにしたインクタンク５０と、該インクタンク５０を内在する有底筒状の外筒６０と、インクタンク６０の前端側に装着されて外筒６０よりも前方へ露出された筆記部７０と、この筆記部７０を覆うようにして外筒６０の前端外周面に着脱可能に装着されたキャップ８０とを備え、インクタンク５０内のインクＭを筆記部７０から吐出させるように構成されている。
【００５８】
インクタンク５０は、前後端部を開口した略円筒状を呈し、その後端の開口部を一体状の第一通気膜５１及び第一補強通気膜５２によって塞いでおり、これら第一通気膜５１及び第一補強通気膜５２によって気体の透過を可能にしている。
また、このインクタンク５０は、その内周面前端側に、上記筆記部７０を嵌合するとともに、該筆記部７０の周囲に一体状の第二通気膜５３及び第二補強通気膜５４を固定しており、これら第二通気膜５３及び第二補強通気膜５４によっても、気体の透過を可能にしている。
そして、このインクタンク５０の外周面には、周方向に対し部分的に複数のリブ５０ａ（図７参照）が突設され、これらリブ５１の突端に後述する外筒６０の内周面を支持し嵌合固定している。
【００５９】
第一通気膜５１及び第一補強通気膜５２、そして第二通気膜５３及び第二補強通気膜５４は、上述した第一通気膜２２，２５及び第一補強通気膜２３，２６と略同様に、撥水撥油処理を施した半透膜と不織布とを重ね合わせ接着することで構成されている。
前記第一通気膜５１及び第一補強通気膜５２は、略円板状を呈し、インクタンク５０の後端の開口部を密封するようにして固定されている。
第二通気膜５３及び第二補強通気膜５４は、平面視略環状を呈し、外部に露出しないように配置されるとともに、筆記部４０外周面と外筒６０内周面との間における軸方向の貫通路を塞ぐようにして固定されている。
【００６０】
また、外筒６０は、上記インクタンク５０をその後方側から軸方向へわたって覆う略有底筒状に形成される。
そして、この外筒６０は、その底面と第一補強通気膜５２との間、および該外筒６０内周面とインクタンク５０外周面との間に隙間を確保した状態で、インクタンク５０外周のリブ５０ａに支持されることで、前記隙間を、第一通気膜５１及び第一補強通気膜５２と該外筒６０の前端開口部６０ａとを連通する通気路Ｐとしている。
【００６１】
また、筆記部７０は、多数の繊維部材を束ねて構成され、その後端側をインクタンク５０内に配置するとともに、その前端側をインクタンク５０及び外筒６０の前端よりも前方へ露出させた状態で、インクタンク５０内周面の図示しないリブ等によって嵌合固定されている。
なお、この筆記部７０は、図示例によれば、単一の部材からなる一例を示しているが、上記筆記部４０と略同様に、その後端側を比較的高密度なインク吸収部によって構成するとともに、その前端側を比較的低密度なインク吐出部によって構成するようにしてもよい。
【００６２】
また、キャップ８０は、略有底筒状を呈し、外筒６０の前端開口部６０ａや、第二補強通気膜５４、筆記部７０等を覆い密封するようにして、外筒６０の前端側外周面に全周にわたって密着し嵌合されている。
上記構成の筆記具３によれば、図６（ａ）に示すように筆記部７０が下向きの状態では、温度上昇等の影響によりインクタンク５０内の気体の圧力が上昇した場合、その気体は、第一通気膜５１及び第一補強通気膜５２を介してインクタンク５０の外へ排出され、更に、通気路Ｐを通って、外筒６０前端側の前端開口部６０ａから外部へ放出される。
また、図６（ｂ）に示すように筆記部７０が上向きの状態では、温度上昇等の影響によりインクタンク５０内の気体の圧力が上昇した場合、その気体は、第二通気膜５３及び第二補強通気膜５４を介してインクタンク５０の外へ放出される。
なお、インクタンク５０内のインクＭは、第一通気膜５１及び第二通気膜５３を通過しないため、外部へ洩れることがない。
また、キャップ８０装着状態においては、第一通気膜５１及び第一補強通気膜５２や、第二通気膜５３及び第二補強通気膜５４、筆記部７０等が、外筒６０とキャップ８０とから形成される密閉空間に位置するため、インクタンク５０内のインクＭの揮発が抑制される。
【００６３】
また、図７に示す筆記具４は、上記筆記具３の筆記部７０を、筆記部７０’に置換した構成とされる。
この筆記部７０’は、上記筆記具３における筆記部７０の後端部を、インクタンク５０の後端部近傍まで延設した構成としている。
なお、上記筆記部７０’の他例としては、上記筆記部４０と略同様に、インクタンク５０内側の多数の繊維部材を、筆記先端側の多数の繊維部材よりも高密度に構成し、筆記先端側へ過剰にインクＭが供給されないようにしてもよい。
【００６４】
この筆記具４によれば、上述した筆記部７０と略同様の作用効果を奏する上、インクタンク５０内のインクＭが消費されて比較的少なくなった状態で上向き筆記が行われた場合でも、インクタンク５０内の後端側に溜まったインクＭを、長尺状の筆記部７０の後端側により吸収し、毛細管力によって筆記部７０の筆記先端側へ導くことができる。
【図面の簡単な説明】
【００６５】
【図１】本発明に係わる筆記具の一例を示す縦断面図であり、（ａ）は筆記部が下向きの状態を示し、（ｂ）は筆記部が上向きの状態を示す。
【図２】図１における(II)-(II)線断面図である。
【図３】同筆記具の後端面図である。
【図４】本発明に係わる筆記具の他例を示す縦断面図であり、（ａ）は筆記部が下向きの状態を示し、（ｂ）は筆記部が上向きの状態を示す。
【図５】図４における(VI)-(VI)線断面図である。
【図６】本発明に係わる筆記具の他例を示す縦断面図であり、（ａ）は筆記部が下向きの状態を示し、（ｂ）は筆記部が上向きの状態を示す。
【図７】図６における(VII)-(VII)線断面図である。
【図８】本発明に係わる筆記具の他例を示す縦断面図であり、（ａ）は筆記部が下向きの状態を示し、（ｂ）は筆記部が上向きの状態を示す。
【符号の説明】
【００６６】
１，２，３，４：筆記具
１０，５０：インクタンク
２０：通気尾栓
２１ｂ：通気用管体
２２，５１：第一通気膜
２３，５２：第一補強通気膜
２４：弁手段
２５，５３：第二通気膜
２６，５４：第二補強通気膜
２７ａ：貫通部
２８：可撓性膜体
４０，７０，７０’：筆記部
８０：キャップ
Ｍ：インク
【図１】
2006168163.tif 000003
【図２】
2006168163.tif 000004
【図３】
2006168163.tif 000005
【図４】
2006168163.tif 000006
【図５】
2006168163.tif 000007
【図６】
2006168163.tif 000008
【図７】
2006168163.tif 000009
【図８】
2006168163.tif 000010